(57)【要約】【課題】  指針を駆動する輪列部をムーブメント本体部と輪列受との間に回転可能に保持するように、前記輪列受を前記ムーブメント本体部に位置決めして固定する指針式時計のムーブメント構造において、平面的に余裕の無い時計のムーブメントにも適用できる輪列受と文字板の位置決め構造を提供する。【解決手段】  ムーブメント本体部１に２ヵ所の貫通穴１ａを設けると共に、輪列受２に前記貫通穴１ａと係合する２本の足２ａを設け、前記貫通穴１ａの一方側に前記輪列受の足２ａを係合させることによって、前記輪列受２の前記ムーブメント本体部１に対する位置決めを行ない、前記ムーブメント本体部１の貫通穴の他方側に文字板４の足４ａを係合させることによって、前記文字板４を固定する。【選択図】      図１
2005098824.tif 000002
【特許請求の範囲】
【請求項１】
指針を駆動する輪列部をムーブメント本体部と輪列受との間に回転可能に保持するように、前記輪列受を前記ムーブメント本体部に位置決めして固定する指針式時計のムーブメント構造において、前記ムーブメント本体部に２ヵ所の貫通穴を設けると共に、前記輪列受に前記貫通穴と係合する２本の足を設け、前記貫通穴の一方側に前記輪列受の足を係合させることによって、前記輪列受の前記ムーブメント本体部に対する位置決めを行ない、前記ムーブメント本体部の貫通穴の他方側に文字板の足を係合させることによって、前記文字板を固定することを特徴とする指針式時計ムーブメント構造。
【請求項２】
前記ムーブメント本体部はプラスチックよりなることを特徴とする請求項１に記載の指針式時計のムーブメント構造。
【請求項３】
前記貫通穴は前記輪列受側と前記文字板側とで穴径を異ならせると共に、前記文字板側より前記輪列受側の穴径を大きくしたことを特徴とする請求項１又は請求項２に記載の指針式時計のムーブメント構造。
【発明の詳細な説明】
【技術分野】
【０００１】
本発明は、指針式時計のムーブメント構造における輪列受の位置決め構造の改良に関する。
【背景技術】
【０００２】
従来の指針式時計の輪列受の位置決め構造は、ムーブメント本体部に一体化したボスに輪列受の穴が係合する構造としている。また、ネジを設けたチューブの外形に輪列受の穴が係合している（例えば、特許文献１参照。）。
【０００３】
【特許文献１】実公平６−２４７９４号公報（第１−２頁、第３図、第４図）
【０００４】
図２は、従来の指針式時計のムーブメント構造を示す要部断面図で、以下、図面を用いて従来の技術を説明する。
１５は金属製の時計用基台、１６はプラスチック製のスペーサであって、時計用基台１５とスペーサ１６とでムーブメント本体部１１が形成されている。１２は輪列受で、輪列受１２には位置決めのための穴１２ａが設けられており、時計用基台１５には２本のピン１５ａが植設されている。
【０００５】
１３は図示されていない時分秒等の指針を駆動する輪列部で、ムーブメント本体部１１に輪列部１３を回転自由に軸支した後、基台１５に植設された２本のピン１５ａに輪列受１２の穴１２ａを係合させるようにして、位置決し、図示されていないネジにより輪列受１２はムーブメント本体部１１に位置決めして固定されている。
【０００６】
１４は文字板で、文字板１４には２本の足１４ａが設けられている。１６ａはスペーサ１６に設けた２つの穴で、文字板１４の２本の足１４ａをスペーサ１６の２つの穴１６ａに係合させることにより、文字板１４はムーブメント本体部１１に位置決めして固定されている。
【発明の開示】
【発明が解決しようとする課題】
【０００７】
このように、従来の技術では輪列受１２の位置決めと文字板１４の位置決めとは別々に設定されており、女持時計のように平面的に余裕の無い時計のムーブメントの場合には、更なる改善が必要であった。本発明の目的は、平面的に余裕の無い時計のムーブメントにも適用できる輪列受と文字板の位置決め構造を提供することである。
【課題を解決するための手段】
【０００８】
本発明は、上記目的を達成するために、指針を駆動する輪列部をムーブメント本体部と輪列受との間に回転可能に保持するように、前記輪列受を前記ムーブメント本体部に位置決めして固定する指針式時計のムーブメント構造において、前記ムーブメント本体部に２ヵ所の貫通穴を設けると共に、前記輪列受に前記貫通穴と係合する２本の足を設け、前記貫通穴の一方側に前記輪列受の足を係合させることによって、前記輪列受の前記ムーブメント本体部に対する位置決めを行ない、前記ムーブメント本体部の貫通穴の他方側に文字板の足を係合させることによって、前記文字板を固定することを特徴とする
【０００９】
このように、ムーブメント本体部に２ヵ所の貫通穴を設け、輪列受の２本の足と文字板の２本の足を共通の貫通穴に係合させることによって輪列受と文字板の両方の位置決めが
でき、女持時計のように平面的に余裕の無い時計のムーブメントに対しても余裕を持たせることが可能となる。
【００１０】
また、前記ムーブメント本体部はプラスチックよりなることを特徴とする。
【００１１】
プラスチックによってムーブメント本体部を形成することによって、プラスチックの弾性を利用した輪列受と文字板の保持固定が可能となる。
【００１２】
また、前記貫通穴は前記輪列受側と前記文字板側とで穴径を異ならせると共に、前記文字板側より前記輪列受側の穴径を大きくしたことを特徴とする。
【００１３】
貫通穴の穴径を輪列受側と文字板側とで異ならせることにより、精度の欲しい貫通穴の１つあたりの長さが短くなり、加工しやすくなる。特にプラスチック製である場合は、金型設計上も製作しやすい穴形状を提供する事ができる。
【発明の効果】
【００１４】
以上のように、ムーブメント本体部に２ヵ所の貫通穴を設け、輪列受の２本の足と文字板の２本の足を共通の貫通穴に係合させることによって輪列受と文字板の両方の位置決めを同じ位置に設定できるので、配置スペースを小さく出来る。
【発明を実施するための最良の形態】
【００１５】
以下図面により本発明の実施の形態を詳述する。図１は本発明の一実施例を示す指針式時計のムーブメント構造を示す要部断面図で、以下本発明の実施例を図面に基づいて詳述する。
【実施例１】
【００１６】
１はプラスチックよりなるムーブメント本体部で、ムーブメント本体部１には２ヵ所の貫通穴１ａが設けられている。２は輪列受で、輪列受２には前記貫通穴１ａと係合する２本の足２ａが設けられている。３は図示されていない時分秒等の指針を駆動する輪列部（なお、図には周知の指針が取り付けられる中心部の輪列のみを代表して示した）で、輪列部３はムーブメント本体部１と輪列受２との間に回転可能に保持される。４は文字板で、文字板４には、前記貫通穴１ａと係合する２本の足４ａが設けられている。なお、前記貫通穴１ａは輪列受２側と文字板４側とで穴径を異ならせると共に、文字板４側より輪列受２側の穴径を大きく形成されている。
【００１７】
次に、本願発明の指針式時計ムーブメントの組立て方法について説明する。
まず、ムーブメント本体部１に輪列部３を回転自由に軸支し、ムーブメント本体部１の２つの貫通穴１ａの一方側に輪列受２の２本の足２ａを係合させることによって、輪列受２のムーブメント本体部１に対する位置決めを行ない、図示されていないネジにより輪列受２をムーブメント本体部１に位置決めして固定する。
【００１８】
次に、ムーブメント本体部１の貫通穴１ａの他方側に、文字板４の２本の足４ａを係合させ、文字板を固定する。
【００１９】
なお、貫通穴１ａは輪列受２側の穴径１ｃと文字板４側の穴径１ｂとを異ならせると共に、文字板４側より輪列受２側の穴径を大きく形成することにより、プラスチック製のムーブメント本体部１を成形する周知の金型において、成形用金型を構成するコアピンを、分割することなく一体で形成することを可能としている。
【００２０】
また、本発明ではムーブメント本体部１がプラスチック製の場合を示したが、ムーブメ
ント本体部１だけでなく、輪列受２も２本の足を一体したプラスチック製でもよい。また、ムーブメント本体部１を従来例のように金属の時計用基台と、プラスチック製のスペーサで構成しても良いことは明らかである。
【図面の簡単な説明】
【００２１】
【図１】本発明の一実施例を示す指針式時計のムーブメント構造を示す要部断面図である。
【図２】従来の指針式時計のムーブメント構造を示す要部断面図である。
【符号の説明】
【００２２】
１  ムーブメント本体部
１ａ  ２つの貫通穴
１ｂ  文字板側穴径
１ｃ  輪列受側穴径
２  輪列受
２ａ  ２本の足
３  輪列部
４  文字板
４ａ  ２本の足
【図１】
2005098824.tif 000003
【図２】
2005098824.tif 000004